(57)【特許請求の範囲】
【請求項１】
炊飯器本体と、
前記炊飯器本体内に収容され上面が開口した内釜と、
前記炊飯器本体に設けたヒンジ部に後部を枢支されて前記炊飯器本体の上部開口部を覆う外蓋と、
前記外蓋の上面に設けられ、操作入力を行うための操作部と、
前記外蓋の下面に着脱可能に装着されて前記内釜の上部開口部を覆う内蓋と、
前記炊飯器本体に設けられ、前記外蓋の前端部に設けられた係止部に係合するラッチと、
前記炊飯器本体に設けられ、押下されると前記ラッチの係合状態を解除するラッチ解除ボタンと、
前記外蓋の前側ほぼ中央位置において前記内蓋を前記外蓋の下面に保持する内蓋保持具と、を備え、
一対の前記ラッチは、下部にて回動可能に軸支された支持板の上部を、二股状に分岐させて構成され、
前記ラッチ解除ボタンは、前記支持板に押圧力を伝える一対の突起部を、左右ほぼ対称の位置に備えており、
前記ラッチ解除ボタンが押下されると、この押圧力を受けて前記一対の突起部が前記支持板を押して前記支持板が回動し、これに伴って前記一対のラッチの係合状態が解除され、
前記一対のラッチは、前記内蓋保持具を挟んだ左右両側の位置であって、前記外蓋を閉じた状態で前記内蓋保持具と前後方向において少なくとも一部が重複する位置に設けられている
ことを特徴とする炊飯器。
【請求項２】
前記外蓋を閉じて前記一対のラッチを前記係止部に係合させたときに、前記一対のラッチと前記内蓋保持具とが左右方向にほぼ一直線に並ぶように配置した
ことを特徴とする請求項１記載の炊飯器。
【請求項３】
前記一対のラッチ及び前記支持板は、合成樹脂により一体的に形成されている
ことを特徴とする請求項１又は請求項２に記載の炊飯器。
【発明の詳細な説明】
【技術分野】
【０００１】
本発明は、閉じられた外蓋を炊飯器本体に係止するラッチを備えた炊飯器に関する。
【背景技術】
【０００２】
従来の炊飯器として、「蓋体に、前記本体ケースに設けたラッチが係止する係止部を設けると共に、前記内蓋の着脱により移動する内蓋保持具を設けた」ものが提案されている（例えば、特許文献１参照）。
【先行技術文献】
【特許文献】
【０００３】
【特許文献１】特開２０００−２３８３４号公報（第２頁−第４頁、図２）
【発明の概要】
【発明が解決しようとする課題】
【０００４】
上記特許文献１に記載の炊飯器によれば、内蓋を取り付けていない状態で外蓋を閉めようとすると、内蓋保持具が内釜に当接して外蓋が閉じられないようになっている。しかし、外蓋を炊飯器本体に係止するためのラッチと、内蓋保持具とが互いに干渉しないようにする必要があるため、ラッチと内蓋保持具とを前後方向にずらした位置に配置しており、炊飯器の奥行き寸法が大きくなってしまっていた。
【０００５】
本発明は、上記のような課題を解決するためになされたもので、ラッチと内蓋保持具の機能を損なうことなく、奥行き寸法を小さくした炊飯器を提供するものである。
【課題を解決するための手段】
【０００６】
本発明に係る炊飯器は、炊飯器本体と、前記炊飯器本体内に収容され上面が開口した内釜と、前記炊飯器本体に設けたヒンジ部に後部を枢支されて前記炊飯器本体の上部開口部を覆う外蓋と、前記外蓋の上面に設けられ、操作入力を行うための操作部と、前記外蓋の下面に着脱可能に装着されて前記内釜の上部開口部を覆う内蓋と、前記炊飯器本体に設けられ、前記外蓋の前端部に設けられた係止部に係合するラッチと、前記炊飯器本体に設けられ、押下されると前記ラッチの係合状態を解除するラッチ解除ボタンと、前記外蓋の前側ほぼ中央位置において前記内蓋を前記外蓋の下面に保持する内蓋保持具と、を備え、一対の前記ラッチは、下部にて回動可能に軸支された支持板の上部を、二股状に分岐させて構成され、前記ラッチ解除ボタンは、前記支持板に押圧力を伝える一対の突起部を、左右ほぼ対称の位置に備えており、前記ラッチ解除ボタンが押下されると、この押圧力を受けて前記一対の突起部が前記支持板を押して前記支持板が回動し、これに伴って前記一対のラッチの係合状態が解除され、前記一対のラッチは、前記内蓋保持具を挟んだ左右両側の位置であって、前記外蓋を閉じた状態で前記内蓋保持具と前後方向において少なくとも一部が重複する位置に設けられているものである。
【発明の効果】
【０００７】
本発明に係る炊飯器は、外蓋の前側ほぼ中央位置において内蓋を外蓋の下面に保持する内蓋保持具を備え、一対のラッチを、内釜保持具を挟んだ左右両側の位置であって、外蓋を閉じた状態で内釜保持具と前後方向において少なくとも一部が重複する位置に設けた。このため、ラッチ及び内蓋保持具の機能を損なうことなく、炊飯器本体の奥行き寸法を小さくすることができる。
【図面の簡単な説明】
【０００８】
【図１】実施の形態に係る炊飯器の外観斜視図である。
【図２】実施の形態に係る炊飯器の一部を破断した平面図である。
【図３】実施の形態に係る炊飯器の内部の主要部を説明する図である。
【図４】実施の形態に係る内蓋保持具を説明する断面図である。
【図５】実施の形態に係る内蓋保持具を説明する断面図であり、内蓋が取り外した状態を示している。
【図６】実施の形態に係るラッチを説明する断面図である。
【図７】実施の形態に係るラッチとラッチ解除ボタンの主要部の平面図である。
【図８】実施の形態に係るラッチとラッチ解除ボタンの断面模式図である。
【発明を実施するための形態】
【０００９】
実施の形態．
図１は実施の形態に係る炊飯器１００の外観斜視図、図２は炊飯器１００の一部を破断した平面図、図３は炊飯器１００の内部の主要部を説明する図である。なお、以下の説明では、図２におけるヒンジ部３側（図２の上側）を後側、ラッチ解除ボタン３０側（図２の下側）を前側とし、この前側から後側までの炊飯器１００の寸法を、奥行き寸法という。また、一般に、釜内の圧力を炊飯に適した高圧に維持する圧力式の炊飯器と、非圧力式の炊飯器が知られているが、本実施の形態では炊飯器１００は非圧力式の炊飯器であるものとする。
【００１０】
図１〜図３に示すように、炊飯器１００は、炊飯器本体１と、炊飯器本体１の上面開口を覆う外蓋２とを備えている。炊飯器本体１の内部には、上面を開口し、上端周縁部にフランジ７ａを有する内釜７が収容されている。内釜７の底部には、内釜７を加熱する電磁誘導コイルなどの加熱手段（図示せず）が設けられている。
【００１１】
外蓋２は、炊飯器本体１の後側に設けられたヒンジ部３により、開閉自在に枢支されている。また、炊飯器本体の前側には押圧自在のラッチ解除ボタン３０が設けられている。詳細は後述するが、外蓋２が閉じられた状態でラッチ解除ボタン３０を押圧すると、外蓋２と炊飯器本体１との前面側におけるロックが解除されて、外蓋２をヒンジ部３により回動させて開けることができる。外蓋２の前端側下面には、後述するラッチ２０を係止させるためのラッチ係止部２ａが突設されている。
【００１２】
外蓋２の上面には、加熱により生じる蒸気を排出するための蒸気孔４が開口している。また、この蒸気孔４の周囲を覆う蒸気孔カバー５が取り付けられている。
また、外蓋２の上面には、電源ボタン等の各種操作スイッチを設けた操作パネル６が設けられている。なお、本実施の形態に係る炊飯器１００は非圧力式の炊飯器であるので、圧力式の炊飯器に比べて外蓋２に係る内圧が低く、外蓋２に操作パネル６を設けることが可能になっている。
【００１３】
外蓋２の下面には、内釜７の上部開口部を覆う内蓋８が設けられている。内蓋８は外蓋２から着脱可能であり、汚れた場合には取り外して清掃することができるようになっている。また、内蓋８の外周部には、内釜７の上部との気密性を確保するためのパッキン８ａが設けられている。
【００１４】
次に、内蓋８を外蓋２に保持するための内蓋保持具１０について説明する。図４は内蓋保持具１０を説明する断面図、図５は内蓋保持具１０を説明する断面図であり、内蓋８を取り外した状態を示している。以下、図２〜図５を参照して説明する。
【００１５】
図４、図５に示すように、内蓋保持具１０は、合成樹脂等で構成され、断面においてほぼ水平な水平部１１と、水平部１１の前側を下方に折り曲げて構成された折曲部１２とを備えている。そして、折曲部１２の後側の面には、係止突部１３が設けられている。この内蓋保持具１０は、外蓋２の前側位置であって左右方向ほぼ中央に（図２参照）おいて、内蓋８を外蓋２の下面に保持するための部材である。内蓋保持具１０は、前後方向に摺動可能に取り付けられており、また、図示しないバネにより常時後側へ付勢されている。
【００１６】
内蓋８を外蓋２に装着する際には、内蓋保持具１０を前側に摺動させて、係止突部１３に内蓋８の前端部を係止させる。このようにすると、図４に示すように、前側に移動した内蓋保持具１０の水平部１１の下面と係止突部１３の上面との間に、内蓋８の前端部が保持され、内蓋８が外蓋２に取り付けられることとなる。すなわち、内蓋保持具１０は、内蓋８を外蓋２に装着した状態では前進して内蓋８を保持する。このとき、内蓋保持具１０の折曲部１２の下端部は、内釜７のフランジ７ａよりも前側に位置している。
【００１７】
内蓋８を外蓋２から取り外すと、図５に示すように、内蓋保持具１０はバネ（図示せず）に付勢されて外蓋２の下面において後方向に移動し、最後部に位置する。この状態で外蓋２を閉じると、内蓋保持具１０の折曲部１２の下端部が、内釜７のフランジ７ａに当接し、それ以上は外蓋２を閉じることができない。すなわち、内蓋保持具１０は、内蓋８を外蓋２から取り外した状態では外蓋２を閉じたときに内釜７のフランジ７ａに当接する位置に後退する。したがって、外蓋２は半開き状態となり、内蓋８が取り付けられていないことをユーザに容易に知らせることができる。
【００１８】
次に、外蓋２を炊飯器本体１に係止するためのラッチ２０及びラッチ解除ボタン３０について説明する。図６は、ラッチ２０を説明する断面図、図７は、ラッチ２０とラッチ解除ボタン３０の主要部の平面図、図８は、ラッチ２０とラッチ解除ボタン３０の断面模式図である。以下、図２、図３、図６〜図８を参照して説明する。
【００１９】
図３、図７に示すように、ラッチ２０は、２つのラッチ部２１ａ、２１ｂと、回動軸２２ａ、２２ｂと、平板状の支持板２３とが、合成樹脂等により一体に構成されている。ラッチ部２１ａ、２１ｂは、支持板２３の上部を二股状に分岐させて形成されている。このラッチ２０は、回動軸２２ａ、２２ｂにより、炊飯器本体１に回動可能に取り付けられている。
【００２０】
ラッチ部２１ａ、２１ｂは、先端が鉤型に形成されており、この鉤型部が外蓋２の前端側下面に設けられたラッチ係止部２ａに引っかかって、外蓋２を炊飯器本体１にロックする。図２、図３に示すように、ラッチ２０のラッチ部２１ａ、２１ｂは、内蓋保持具１０を中心に左右ほぼ対称の位置に配置されている。また、本実施の形態では、外蓋２を閉じた状態において、内蓋保持具１０とラッチ部２１ａ、２１ｂは、左右方向にほぼ一直線に並ぶようになっている。なお、一直線に並ばなくとも、外蓋２を閉じた状態において、内蓋保持具１０とラッチ部２１ａ、２１ｂの一部が前後方向に重複する位置に配置してもよい。
【００２１】
ラッチ解除ボタン３０は、ユーザからの押下操作を受けて、ラッチ２０のロック状態を解除するためのボタンである。ラッチ解除ボタン３０は、炊飯器本体１の前面側外側の、左右ほぼ中央位置に、前後方向に摺動可能に取り付けられている。また、ラッチ解除ボタン３０は、図示しないバネにより、常時前側へ付勢されている。ラッチ解除ボタン３０は、ユーザが押圧操作を加えるための面である操作部３１と、２つのラッチ押下突部３２ａ、３２ｂとを備えている。
【００２２】
ラッチ押下突部３２ａ、３２ｂは、操作部３１の裏面（後面）から、後方に向かってほぼ水平に突出する棒状の突起である。ラッチ押下突部３２ａ、３２ｂは、ラッチ解除ボタン３０の左右中心からほぼ左右対称の位置に、それぞれ設けられている。操作部３１が所定の押圧力で押圧されると、ラッチ解除ボタン３０が後退し、ラッチ押下突部３２ａ、３２ｂがラッチ２０の支持板２３に当接し、ラッチ２０に押圧力を伝えることができるようになっている。
【００２３】
次に、上記のように構成した炊飯器１００の外蓋２の開閉作用について説明する。なお、ここでは、内蓋８が外蓋２に取り付けられているものとして説明する。外蓋２が開いた状態で、外蓋２を下方向に押し下げると、ヒンジ部３を軸として外蓋２は回動し、さらに押圧すると、ラッチ２０のラッチ部２１ａ、２１ｂが外蓋２のラッチ係止部２ａに引っかかる。このようにすると、ラッチ２０を介して、外蓋２と炊飯器本体１とが結合される。
【００２４】
外蓋２を開く際には、図８の矢印Ｘに示すように、ラッチ解除ボタン３０の操作部３１を押下する。そうすると、ラッチ解除ボタン３０が後退し、これに伴ってラッチ押下突部３２ａ、３２ｂも後退し、ラッチ２０の支持板２３を押圧する。ラッチ解除ボタン３０からの押圧力により、ラッチ２０は回動軸２２ａ、２２ｂを軸として回動する（図８の矢印Ｙ参照）。これにより、ラッチ部２１ａ、２１ｂのラッチ係止部２ａへの係合が解除されて、外蓋２を開くことができる。また、ユーザが、操作部３１の左右に偏った位置、例えば操作部３１の左端を押下することも考えられる。このような場合、ラッチ押下突部３２ａが主に後退して支持板２３を押圧するため、支持板２３の左側が押圧されることとなるが、ラッチ部２１ａ、２１ｂはその下端部が支持板２３で接続されているので、両方のラッチ部２１ａ、２１ｂを回動させて係合を解除することができる。なお、ラッチ解除ボタン３０は前側へ付勢されているので、ユーザがラッチ解除ボタン３０から手を離すと、ラッチ解除ボタン３０は前進して前端位置へ戻る。
【００２５】
以上のように、本実施の形態では、外蓋２の前側ほぼ中央位置において内蓋８を外蓋２の下面に保持する内蓋保持具１０を備え、一対のラッチ部２１ａ、２１ｂを、内釜保持具１０を挟んだ左右両側の位置であって、外蓋２を閉じた状態で内釜保持具１０と前後方向において少なくとも一部が重複する位置に設けた。このため、ラッチ部２１ａ、２１ｂ及び内蓋保持具１０の機能を損なうことなく、炊飯器本体１の奥行き寸法を小さくすることができる。また、外蓋２を閉じて一対のラッチ部２１ａ、２１ｂをラッチ係止部２ａに係合させたときに、一対のラッチ部２１ａ、２１ｂと内蓋保持具１０とが左右方向にほぼ一直線に並ぶように配置したので、炊飯器本体１の奥行き寸法をさらに小さくすることができる。
【００２６】
また、一対のラッチ部２１ａ、２１ｂを配置したので、２箇所で外蓋２と炊飯器本体１とを結合することができ、外蓋２と炊飯器本体１との結合状態をより安定させることができる。また、内蓋保持具１０を中心として左右ほぼ対称の位置に一対のラッチ部２１ａ、２１ｂを配置したので、外蓋２と炊飯器本体１との隙間の歪みを軽減できる。
【００２７】
また、一対のラッチ部２１ａ、２１ｂは、回動軸２２ａ、２２ｂにて回動可能に軸支された支持板２３の上部を、二股状に分岐させて構成されている。そして、ラッチ解除ボタン３０を押下すると、この押圧力を受けて支持板２３が回動し、これに伴って一対のラッチ部２１ａ、２１ｂの係合状態が解除される。このため、１つのラッチ解除ボタン３０を押下するだけで、２つのラッチ部２１ａ、２１ｂの係合状態を解除することができ、操作性がよい。また、ラッチ解除ボタン３０の左右方向に偏った位置が押下された場合でも、両方のラッチ部２１ａ、２１ｂの係合状態を解除することができる。また、一対のラッチ部２１ａ、２１ｂ及び支持板２３を、合成樹脂により一体的に形成したので、部品点数を減らすことができるとともに、組み立ての手間も軽減できる。
【符号の説明】
【００２８】
１  炊飯器本体、２  外蓋、２ａ  ラッチ係止部、３  ヒンジ部、４  蒸気孔、５  蒸気孔カバー、６  操作パネル、７  内釜、７ａ  フランジ、８  内蓋、８ａ  パッキン、１０  内蓋保持具、１１  水平部、１２  折曲部、１３  係止突部、２０  ラッチ、２１ａ，２１ｂ  ラッチ部、２２ａ，２２ｂ  回動軸、２３  支持板、３０  ラッチ解除ボタン、３１  操作部、３２ａ，３２ｂ  ラッチ押下突部、１００  炊飯器。
【図１】
0005582886.tif 000002
【図２】
0005582886.tif 000003
【図３】
0005582886.tif 000004
【図４】
0005582886.tif 000005
【図５】
0005582886.tif 000006
【図６】
0005582886.tif 000007
【図７】
0005582886.tif 000008
【図８】
0005582886.tif 000009